(57)【要約】【課題】長尺物の保持部と帯状体への取り付け部とを有する保持具において、帯状体への保持具の取り付け状態を強固に維持させながら、必要に応じてこの取り付けを解くことができるようにする。【解決手段】取り付け部２は、帯状体Ｗを間に通す間隔を開けて基部３より立ち上がった一対の立ち上がり部２０、２０と、この立ち上がり部２０の突き出し端側に一体に連接されて他方の立ち上がり部２０の側に向けて突き出す弾性変形可能な押さえ片２１とを備えており、一対の押さえ片２１、２１の先端間には帯状体Ｗの導入隙間２２が形成されている。押さえ片２１の先端側の内面とこの内面に向き合う基部３面との間の間隔ｘが、帯状体Ｗの厚さと略等しいか、これよりやや小さくなるようにしてある。【選択図】図１
2006336803.tif 000002
【特許請求の範囲】
【請求項１】
チューブなどの長尺物の保持部と、帯状体への取り付け部とを有しており、
この取り付け部は、帯状体を間に通す間隔を開けて基部より立ち上がった一対の立ち上がり部と、この立ち上がり部の突き出し端側に一体に連接されて他方の立ち上がり部の側に向けて突き出す弾性変形可能な押さえ片とを備えており、
一対の立ち上がり部の一方から突き出す押さえ片の先端と他方から突き出す押さえ片の先端との間には帯状体の導入隙間が形成されていると共に、
押さえ片の先端側の内面とこの内面に向き合う基部面との間の間隔が、帯状体の厚さと略等しいか、これよりやや小さくなるようにしてあることを特徴とするチューブ等の保持具。
【請求項２】
保持部は、長尺物をその側方から間に受け入れこれに嵌めつくように配された一対の保持体を有していると共に、
この一対の保持体の少なくとも一方は、基部より立ち上がった立ち上がり部と、この立ち上がり部との間に間隔を開けるようにしてこの立ち上がり部の突き出し端側に一体に連接されて基部の側に向けて延びる弾性変形可能な保持片とを有しており、
立ち上がり部と保持片との連接箇所の内側を細径の長尺物の保持空間とするように、この連接箇所より下方の位置において立ち上がり部と保持片との間の間隔が狭められていることを特徴とする請求項１記載のチューブ等の保持具。
【請求項３】
チューブなどの長尺物の保持部と、帯状体への取り付け部とを有しており、
この保持部は、長尺物をその側方から間に受け入れこれに嵌めつくように配された一対の保持体を有していると共に、
この一対の保持体の少なくとも一方は、基部より立ち上がった立ち上がり部と、この立ち上がり部との間に間隔を開けるようにしてこの立ち上がり部の突き出し端側に一体に連接されて基部の側に向けて延びる弾性変形可能な保持片とを有しており、
立ち上がり部と保持片との連接箇所の内側を細径の長尺物の保持空間とするように、この連接箇所より下方の位置において立ち上がり部と保持片との間の間隔が狭められていることを特徴とするチューブ等の保持具。
【請求項４】
基部に、帯状体の追加通し部が備えられていることを特徴とする請求項１〜請求項３のいずれか１項に記載のチューブ等の保持具。
【発明の詳細な説明】
【技術分野】
【０００１】
この発明は、チューブなどの長尺物と、織物製テープなどの帯状体とを、接続させ合わせるために用いられる、この長尺物の保持具の改良に関する。
【背景技術】
【０００２】
帯状体にチューブなどの長尺物を接続させるための取り付け具として、特許文献１の図５に示されるものがある。この取り付け具では、プレートの上面に下端をプレートに一体に連接させて立ち上がった後側方に延びるアームが設けられており、このアームの先端とプレートとの間からアームを弾性変形させながら長尺物を入れ込みその後のアームの弾性復帰によりこのアームの基部側でこれを保持するようになっている。帯状体はベースに形成されたスロット状をなす通し穴を利用して取り付け具に取り付けられるようになっている。
【０００３】
しかるに、この特許文献１に示される取り付け具にあっては、取り付け具から保持された長尺物を必要に応じて抜き出せるものの、帯状体に対する取り付け具の取り付け位置を調整し難いものであった。すなわち、帯状体を前記通し穴に通してこの帯状体に一旦取り付けた取り付け具は、帯状体にテンションが作用されている場合には帯状体の長さ方向に沿って移動させ難く、他方で、帯状体にテンションが作用されていない場合には帯状体の所定の位置に留まり難いものであった。
【０００４】
また、単一の取り付け具において保持し得るのは一つの長尺物に留まるものであった。
【特許文献１】特開２００２−１１２８１０号公報
【発明の開示】
【発明が解決しようとする課題】
【０００５】
この発明が解決しようとする主たる問題点は、第一に、チューブなどの長尺物の保持部と帯状体への取り付け部とを有して、保持した長尺物を帯状体に接続させるように機能する保持具において、帯状体への保持具の取り付け状態を強固に維持させながら、必要に応じてその取り付け位置を適切に調整できるようにする点にある。
【０００６】
また、第二に、保持具の保持部において、チューブなどの長尺物よりも細径の長尺物を、同時に、かつ、合理的に保持できるようにする点にある。
【課題を解決するための手段】
【０００７】
前記第一の課題を解決するために、この発明にあっては、チューブ等の保持具を、以下の（１）〜（４）の構成を備えたものとした。
（１）チューブなどの長尺物の保持部と、帯状体への取り付け部とを有しており、
（２）この取り付け部は、帯状体を間に通す間隔を開けて基部より立ち上がった一対の立ち上がり部と、この立ち上がり部の突き出し端側に一体に連接されて他方の立ち上がり部の側に向けて突き出す弾性変形可能な押さえ片とを備えており、
（３）一対の立ち上がり部の一方から突き出す押さえ片の先端と他方から突き出す押さえ片の先端との間には帯状体の導入隙間が形成されていると共に、
（４）押さえ片の先端側の内面とこの内面に向き合う基部面との間の間隔が、帯状体の厚さと略等しいか、これよりやや小さくなるようにしてある。
【０００８】
かかる構成によれば、導入隙間に帯状体の長さ方向に沿った一方の縁部を入れ込みながらこのように入れ込まれた一方の縁部の側から押さえ片の一方と基部との間に押さえ片を弾性変形させつつ帯状体のこの一方の縁部側をこの押さえ片の一方と基部との間に挟み込み状に入れ込ませた後、残された帯状体の他方の縁部側を押さえ片の他方と基部との間に押さえ片を弾性変形させつつこの押さえ片の他方と基部との間に挟み込み状に入れ込ませることにより、帯状体に強固に保持具を取り付けることができ、さらには、この帯状体に保持具を介して安定的に長尺物を接続させることができる。また、前記導入隙間を利用して、押さえ片と基部との間に挟み込まれた帯状体をこれらの間から抜き出させることもでき、必要に応じて帯状体と保持具とを分離させることもできる。押さえ片は弾性変形可能とされることから、保持具を引っ張ることより押さえ片の弾性変形を生じさせながら帯状体の長さ方向に沿って保持具の取り付け位置を移動調整させることができると共に、調整後の位置における押さえ片の弾性復帰によってその調整後の位置に保持具を改めて強固に帯状体に取り付けさせることができる。
【０００９】
また、前記第二の課題を解決するために、この発明にあっては、チューブ等の保持具を、以下の（１）〜（４）の構成を備えたものとした。
（１）チューブなどの長尺物の保持部と、帯状体への取り付け部とを有しており、
（２）この保持部は、長尺物をその側方から間に受け入れこれに嵌めつくように配された一対の保持体を有していると共に、
（３）この一対の保持体の少なくとも一方は、基部より立ち上がった立ち上がり部と、この立ち上がり部との間に間隔を開けるようにしてこの立ち上がり部の突き出し端側に一体に連接されて基部の側に向けて延びる弾性変形可能な保持片とを有しており、
（４）立ち上がり部と保持片との連接箇所の内側を細径の長尺物の保持空間とするように、この連接箇所より下方の位置において立ち上がり部と保持片との間の間隔が狭められている。
【００１０】
かかる構成によれば、前記狭められた間隔よりもやや太い細径の長尺物をその側方から一対の保持体間に入れ込むと共に、これに続いて保持片と立ち上がり部との間に入れ込ませ、さらに、保持空間側に移動させると、このように移動される細径の長尺物に押されて保持片が立ち上がり部から離れる向きに弾性変形され、保持空間への細径の長尺物の導入が許容される。保持空間に細径の長尺物が導入されると保持片が弾性復帰され、かかる細径の長尺物の中間部を保持部において安定的に保持させることができる。このように保持された細径の長尺物は、これを前記保持空間から抜き出させる向きに所定の大きさの力で引っ張ることにより、保持片を再び立ち上がり部から離れる向きに弾性変形させて保持空間から抜き出させることができ、抜き出された細径の長尺物をさらに保持片と立ち上がり部との間から抜き出すことにより保持具より取り外すことができる。
【００１１】
前記の保持具における基部に、帯状体の追加通し部を備えさせておくこともある。
【００１２】
このようにした場合、保持具を介して取り付け部において取り付けられた帯状体と長尺物とを接続できると共に、さらに、別の帯状体をこれに接続させることができる。
【発明の効果】
【００１３】
この発明にかかる保持具によれば、帯状体への保持具の取り付け状態を強固に維持させながら、必要に応じてその取り付け位置を適切に調整することができる。
【発明を実施するための最良の形態】
【００１４】
以下、図１ないし図１７に基づいて、この発明を実施するための最良の形態について説明する。
【００１５】
なお、ここで図１ないし図１０は、実施の形態にかかる保持具Ｊの一例を、また、図１１ないし図１６は、かかる保持具Ｊの他の一例を、また、図１７は、かかる保持具Ｊのさらに他の一例を、それぞれ示している。
【００１６】
この実施の形態にかかる保持具Ｊは、チューブなどの長尺物Ｐと、織物製テープなどの帯状体Ｗとを、接続させ合わせるために用いられるものである。
【００１７】
かかる保持具Ｊは、典型的には、次のような用途に用いることが予定されるものである。
（１）背中に背負って携行するタイプの給水袋に接続されたチューブ（ハイドレーションチューブなどと称する。）の吸い口側を、ベストやジャケットなどの胸にあたる部分に設けられたテープを利用してこの部分に安定的に位置づける。
（２）リュックサックに内蔵された給水袋に接続されたチューブの吸い口側を、このリュックサックの背負いバンドに設けられたテープを利用してこの部分に安定的に位置づける。
（３）リュックサックなどの装備や装具に保持させた水筒などに接続されたチューブの吸い口側を、ベストなどの胸にあたる部分に設けられたテープを利用してこの部分に安定的に位置づける。
【００１８】
かかる保持具Ｊは、前記長尺物Ｐの保持部１と、帯状体Ｗへの取り付け部２とを有している。
【００１９】
保持部１は、長尺物Ｐをその側方から間に受け入れこれに嵌めつくように配された一対の保持体１０、１０を有していると共に、
この一対の保持体１０、１０の少なくとも一方は、基部３より立ち上がった立ち上がり部１１と、この立ち上がり部１１との間に間隔を開けるようにしてこの立ち上がり部１１の突き出し端側に一体に連接されて基部３の側に向けて延びる弾性変形可能な保持片１２とを有している。
【００２０】
図示の例にあっては、基部３は平面視の状態で略鼓状の輪郭形状を持ったプレート体３０として構成されている。そして、このプレート体３０の一面に保持部１が形成され、かつ、このプレート体３０の他面に取り付け部２が形成されている。
【００２１】
図示の例では、一対の保持体１０、１０の双方共に、かかる基部３より立ち上がった立ち上がり部１１と、この立ち上がり部１１との間に間隔を開けるようにしてこの立ち上がり部１１の突き出し端側に一体に連接されて基部３の側に向けて延びる弾性変形可能な保持片１２とを有している。
【００２２】
具体的には、図示の例では、一対の立ち上がり部１１はそれぞれ、基部３となるプレート体３０の幅方向に沿った縁部３１に板基端を一体に連接させて突き出す板状体１１ａとして構成されている。図示の例では、各板状体１１ａはその板面を他方の立ち上がり部１１を構成する板状体１１ａの板面に向けるようにして基部３に一体に備えられている。また、各板状体１１ａはいずれもその突き出し端に近づくに連れて、次第に他方の板状体１１ａに近づくように、基部３より傾斜状に突き出されている。
【００２３】
一方、図示の例では、保持片１２は、立ち上がり部１１となる板状体１１ａの突き出し端側を、基部３の側を湾曲内側とするように湾曲させて、基部３側に折り返すようにすることにより構成されており、この板状体１１ａと一体に形成されている。保持片１２の先端と基部３の一面との間には間隔が形成されている。
【００２４】
かかる一対の立ち上がり部１１、１１の互いに向き合う側に形成された保持片１２の基端間が長尺物Ｐの導入口１３となっている。一対の保持片１２、１２間の間隔は、この導入口１３においてもっとも狭く、保持片１２の先端に向かうに連れて次第に広くなるように構成されている。図示の例では、導入口１３よりも直径を大きくする断面略円形の長尺物Ｐの保持が予定されており、一対の保持片１２、１２の基端と先端との間の保持面１２ａは、この長尺物Ｐの外面に倣うように湾曲されている。また、図示の例では、導入口１３の直下位置となる基部３の一面に、前記長尺物Ｐの外面に倣った弧状の座面３２が形成されている。
【００２５】
図示の例では、長尺物Ｐの側部を導入口１３に押し付けるとこの導入口１３を押し広げる向きに立ち上がり部１１及び保持片１２の双方又はいずれか一方が弾性変形され、この後、この長尺物Ｐの最も太い部分が導入口１３よりも内側に入り込むと立ち上がり部１１及び保持片１２の双方又はいずれか一方が弾性復帰して長尺物Ｐが簡単には導入口１３から抜け出さないようにこの長尺物Ｐを一対の保持片１２、１２によって挟み付け保持するようになっている。このように保持された長尺物Ｐは、これを前記導入口１３から抜き出させる向きに所定の大きさの力で引っ張ることにより、立ち上がり部１１及び保持片１２の双方又はいずれか一方を外向きに弾性変形させて、保持部１から抜き出させることができる。
【００２６】
また、この実施の形態にあっては、立ち上がり部１１と保持片１２との連接箇所１４の内側を細径の長尺物Ｐ’の保持空間１５とするように、この連接箇所１４より下方の位置において立ち上がり部１１と保持片１２との間の間隔が狭められている。
【００２７】
図示の例では、一対の保持片１２、１２の保持面１２ａと背中合わせとなる背面、つまり、立ち上がり部１１となる板状体１１ａの内面に向き合った面であって、保持片１２の幅方向略中程の位置に、前記連接箇所１４との間に間隔を開けるようにして突起１６が形成されており、この突起１６によって前記連接箇所１４より下方の位置において立ち上がり部１１と保持片１２との間の間隔が狭められている。なお、このような突起１６を立ち上がり部１１の側に設けて前記保持空間１５を構成するようにしておくこともできる。
【００２８】
図示の例では、連接箇所１４の内側は湾曲面となっている。また、突起１６は、立ち上がり部１１に向けられた側の面を弧状に湾曲した湾曲面１６ａとしている。これにより、細径の長尺物Ｐ’を、保持空間１５内に入れ込み易く、また、保持空間１５に保持させた細径の長尺物Ｐ’を保持空間１５から抜き出す際にも過度の抵抗が生じないようになっている。
【００２９】
前記狭められた間隔よりもやや太い細径の長尺物Ｐ’をその側方から一対の保持体１０、１０間に入れ込むと共に、これに続いて保持片１２と立ち上がり部１１との間に入れ込ませ、さらに、保持空間１５側に移動させると、このように移動される細径の長尺物Ｐ’に押されて保持片１２が立ち上がり部１１から離れる向きに弾性変形され、保持空間１５への細径の長尺物Ｐ’の導入が許容される。保持空間１５に細径の長尺物Ｐ’が導入されると保持片１２が弾性復帰され、かかる細径の長尺物Ｐ’の中間部を保持部１において安定的に保持させることができる。このように保持された細径の長尺物Ｐ’は、これを前記保持空間１５から抜き出させる向きに所定の大きさの力で引っ張ることにより、保持片１２を再び立ち上がり部１１から離れる向きに弾性変形させて保持空間１５から抜き出させることができ、抜き出された細径の長尺物Ｐ’をさらに保持片１２と立ち上がり部１１との間から抜き出すことにより保持具Ｊより取り外すことができる。
【００３０】
図示の例にあっては、一対の保持体１０、１０のそれぞれに、前記突起１６によって前記保持空間１５が形成されている。これにより、図示の例にあっては、保持具Ｊの保持部１によって、一本の長尺物Ｐと、二本の細径の長尺物Ｐ’、Ｐ’とを同時に保持して、保持具Ｊを介してこれらを帯状体Ｗに接続できるようになっている。
【００３１】
細径の長尺物Ｐ’としては、典型的には、ＭＰ３プレイヤー、携帯電話、トランシーバーなどのイヤホンコードや、携帯型の各種の電子機器のコード類などが予定される。
【００３２】
一方、前記取り付け部２は、帯状体Ｗを間に通す間隔を開けて基部３より立ち上がった一対の立ち上がり部２０、２０と、この立ち上がり部２０の突き出し端側に一体に連接されて他方の立ち上がり部２０の側に向けて突き出す弾性変形可能な押さえ片２１とを備えている。
【００３３】
そして、一対の立ち上がり部２０、２０の一方から突き出す押さえ片２１の先端と他方から突き出す押さえ片２１の先端との間には帯状体Ｗの導入隙間２２が形成されていると共に、
押さえ片２１の先端側の内面とこの内面に向き合う基部３面との間の間隔ｘが、帯状体Ｗの厚さと略等しいか、これよりやや小さくなるようにしてある。
【００３４】
図示の例にあっては、立ち上がり部２０は、基部３となるプレート体３０の幅方向に沿った縁部３１のそれぞれにおいて、この縁部３１から基部３の中央側に向けられた側を湾曲内側とするように湾曲状に立ち上がっている。
【００３５】
一方、押さえ片２１は、この立ち上がり部２０の突き出し端から一体に基部３の中央側に向けて突き出すと共に、その先端に向かうに連れて基部３の他面との間の間隔を次第に狭めるように傾斜されている。
【００３６】
かかる立ち上がり部２０は基部３の幅寸法と略等しい寸法を備えた板状をなし、また、押さえ片２１もこの立ち上がり部２０の幅方向に幅広の板状をなしている。
【００３７】
また、図示の例では、押さえ片２１における立ち上がり部２０との連接箇所であって、押さえ片２１の内面側に、この押さえ片２１の幅方向に亘るように形成された溝によって薄肉部２１ａが形成されており、押さえ片２１の弾性変形はこの薄肉部２１ａを変形中心としてなされるようになっている。
【００３８】
この実施の形態にかかる保持具Ｊはかかる構成を備えることから、導入隙間２２に帯状体Ｗの長さ方向に沿った一方の縁部Ｗａを入れ込みながらこのように入れ込まれた一方の縁部Ｗａの側から押さえ片２１の一方と基部３との間に押さえ片２１を弾性変形させつつ帯状体Ｗのこの一方の縁部Ｗａ側をこの押さえ片２１の一方と基部３との間に挟み込み状に入れ込ませた後、（図２から図３）残された帯状体Ｗの他方の縁部Ｗｂ側を押さえ片２１の他方と基部３との間に押さえ片２１を弾性変形させつつこの押さえ片２１の他方と基部３との間に挟み込み状に入れ込ませることにより、（図３から図４）帯状体Ｗに強固に保持具Ｊを取り付けることができ、さらには、この帯状体Ｗに保持具Ｊを介して安定的に長尺物Ｐを接続させることができる。また、前記導入隙間２２を利用して、押さえ片２１と基部３との間に挟み込まれた帯状体Ｗをこれらの間から抜き出させることもでき、必要に応じて帯状体Ｗと保持具Ｊとを分離させることもできる。また、押さえ片２１は弾性変形可能とされることから、保持具Ｊを引っ張ることより押さえ片２１の弾性変形を生じさせながら帯状体Ｗの長さ方向に沿って保持具Ｊの取り付け位置を移動調整させることができると共に、調整後の位置における押さえ片２１の弾性復帰によってその調整後の位置に保持具Ｊを改めて強固に帯状体Ｗに取り付けさせることができる。
【００３９】
前記基部３に帯状体Ｗの追加通し部３３を備えさせておけば、保持具Ｊを介して取り付け部２において取り付けられた帯状体Ｗと長尺物Ｐとを接続できると共に、さらに、別の帯状体Ｗをこれに接続させることができる。
【００４０】
図１１ないし図１６に示される例にあっては、基部３の幅方向に沿った縁部３１の外方に延出部３４を形成させると共に、この延出部３４にスロット状をなす帯状体Ｗの追加通し部３３を形成させている。これによりこの例にあっては、保持具Ｊを介して、取り付け部２において取り付けられた主たる帯状体Ｗと長尺物Ｐとを接続できると共に、さらに、この主たる帯状体Ｗの延長方向に略直交する向きに延長されるようにこの主たる帯状体Ｗに別の二本の帯状体を接続させることができる。
【００４１】
図１７に示される例にあっては、扁平筒状をなすとと共に、筒一端４１を図示しない雄バックルの脚部の入れ込み口とし、かつ、扁平筒の短寸方向にこの雄バックルの脚部に形成された掛合部の掛合窓４０を備えた、いわゆるサイドリリースタイプのバックルを構成する雌バックル４に前記の保持部１と略同一構成の保持部１を備えさせてこれを保持具Ｊとした例を示している。この例にあっては、かかる雌バックル４の筒他端４２の外方に帯状体Ｗの巻回部４３が形成されており、これが取り付け部２として機能するようになっている。
【図面の簡単な説明】
【００４２】
【図１】保持具Ｊの使用状態を示す斜視図
【図２】帯状体Ｗに保持具Ｊを取り付ける過程を示した側面図
【図３】帯状体Ｗに保持具Ｊを取り付ける過程を示した側面図
【図４】帯状体Ｗに保持具Ｊを取り付ける過程を示した側面図
【図５】保持具Ｊの斜視図
【図６】同正面図
【図７】同右側面図
【図８】図６におけるＡ−Ａ線断面図
【図９】保持具Ｊの平面図
【図１０】保持具Ｊの底面図
【図１１】保持具Ｊの他の構成例の斜視図
【図１２】同正面図
【図１３】同平面図
【図１４】同底面図
【図１５】同右側面図
【図１６】図１２におけるＢ−Ｂ線断面図
【図１７】保持具Ｊのさらに他の構成例の斜視図
【符号の説明】
【００４３】
Ｐ  長尺物
Ｗ  帯状体
Ｊ  保持具
１  保持部
２  取り付け部
２０  立ち上がり部
２１  押さえ片
２２  導入空間
ｘ  間隔
【図１】
2006336803.tif 000003
【図２】
2006336803.tif 000004
【図３】
2006336803.tif 000005
【図４】
2006336803.tif 000006
【図５】
2006336803.tif 000007
【図６】
2006336803.tif 000008
【図７】
2006336803.tif 000009
【図８】
2006336803.tif 000010
【図９】
2006336803.tif 000011
【図１０】
2006336803.tif 000012
【図１１】
2006336803.tif 000013
【図１２】
2006336803.tif 000014
【図１３】
2006336803.tif 000015
【図１４】
2006336803.tif 000016
【図１５】
2006336803.tif 000017
【図１６】
2006336803.tif 000018
【図１７】
2006336803.tif 000019